【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
外表面を有する実質的に円筒形のシェルと、
該シェルの外表面に円周方向に覆い被さる高分子カバーと、
検知システムとを備える工業用ロールであって、前記検知システムは、
データパラメータを検知するようにそれぞれ構成されて、前記カバーに埋め込まれた複数のセンサと、
それぞれのセンサに接続されると共に、該センサからの信号を送信するためその近くで前記カバーに埋め込まれる複数の無線トランシーバとを備える、工業用ロール。
【請求項２】
前記検知システムは更に、
前記複数の無線トランシーバからデータ信号を受けるために該複数の無線トランシーバに作動可能に関連した無線レシーバと、
該無線レシーバに作動可能に関連して、それにより運ばれる前記データ信号を処理するリモートプロセッサとを備える、
請求項１に記載の工業用ロール。
【請求項３】
複数の電源を更に備えており、各電源は、それぞれのセンサ及び無線トランシーバに接続されると共に、その近くで前記カバーに埋め込まれている、請求項２に記載の工業用ロール。
【請求項４】
各センサとそれぞれの無線トランシーバ及び電源とは単一コンポーネントを構成している、請求項３に記載の工業用ロール。
【請求項５】
各無線トランシーバは、その信号を他の無線トランシーバから送信された信号と識別するコードを出力するよう構成されている、請求項１に記載の工業用ロール。
【請求項６】
各無線トランシーバは、他の無線トランシーバとは異なる周波数で送信するよう構成されている、請求項１に記載の工業用ロール。
【請求項７】
各無線トランシーバは、それぞれのセンサからの前記データ信号を前記レシーバに所定の順序で送信するよう構成されている、請求項２に記載の工業用ロール。
【請求項８】
前記複数のセンサは、前記ロールの長さに沿って共通の円周方向位置に配置されている、請求項１に記載の工業用ロール。
【請求項９】
前記複数のセンサは、共通の軸方向位置に配置されている、請求項１に記載の工業用ロール。
【請求項１０】
前記複数のセンサは、前記ロール上の分散した円周方向及び軸方向位置に配置されている、請求項１に記載の工業用ロール。
【請求項１１】
前記複数のセンサは、前記ロール上の複数の円周方向及び軸方向位置に配置されている、請求項１に記載の工業用ロール。
【請求項１２】
各センサにより検知された前記データパラメータは、温度、圧力、ピーク圧力、歪み、ニップ幅及び水分のうちの１つに関係している、請求項１に記載の工業用ロール。
【請求項１３】
各電源は、バッテリー、充電式バッテリー及びコンデンサのうちの１つから構成される、請求項３に記載の工業用ロール。
【請求項１４】
各電源を再充電するための充電システムを更に備える、請求項１３に記載の工業用ロール。
【請求項１５】
前記充電システムは、前記ロールが作動していないときに各電源を再充電するよう構成された無線充電器を備える、請求項１４に記載の工業用ロール。
【請求項１６】
前記充電システムは、
ロールの長さにわたる固定部材と、
該固定部材の長さに沿って取り付けられた複数の無線充電器とを備えており、各充電器は、ロール作動中に誘導結合を用いて電源を再充電するよう構成されている、請求項１４に記載の工業用ロール。
【請求項１７】
前記固定部材はドクターブレード組立体である、請求項１６に記載の工業用ロール。
【請求項１８】
前記固定部材は、弓状の断面を有すると共に、前記ロールの周囲の一部を包むように構成されている、請求項１６に記載の工業用ロール。
【請求項１９】
前記充電システムは、
それぞれ少なくとも１つの電源に接続されると共に、その近くで前記カバーに埋め込まれた複数の圧電装置を備えており、
各圧電装置は、それぞれの電源を再充電するため圧縮されたときにエネルギを発生するよう構成されている、請求項１４に記載の工業用ロール。
【請求項２０】
前記充電システムは、前記ロールに設けられると共に、各電源を再充電するため前記ロールのスプリアス振動及び／又は回転からエネルギを発生するよう構成されている、請求項１４に記載の工業用ロール。
【請求項２１】
前記充電システムは、振動、温度差、熱及び／又はＲＦ信号から取り入れたエネルギを使用して各電源を再充電するよう構成されたエネルギ取入れシステムから構成されている、請求項１４に記載の工業用ロール。
【請求項２２】
前記無線トランシーバは、赤外線（ＩＲ）トランスミッタ及びレシーバから構成される、請求項１に記載の工業用ロール。
【請求項２３】
前記複数の無線トランシーバはトランスミッタである、請求項１に記載の工業用ロール。
【請求項２４】
前記複数の無線トランシーバは網状又は星形網状の接続形態になって構成されている、請求項１に記載の工業用ロール。
【請求項２５】
前記検知システムは更に複数のピーク検出器を備え、各ピーク検出器は、それぞれセンサ及び無線トランシーバの間に接続されている、請求項１に記載の工業用ロール。
【請求項２６】
前記ピーク検出器は、リセット指令、特定回転数、及び／又はリモートプロセッサ読取り動作に応答してリセットされる、請求項２５に記載の工業用ロール。
【請求項２７】
前記無線トランシーバからの前記データ信号はピークニップ圧力を含む、請求項２５に記載の工業用ロール。
【請求項２８】
データパラメータを検知するよう構成された複数のセンサが埋め込まれたカバーを有する工業用ロールにおける信号データを収集する方法であって、
それぞれのセンサに接続されると共にその近くで前記カバーに埋め込まれた複数の無線トランシーバを用意すること、及び
それぞれの無線トランシーバによりセンサからのデータ信号をプロセッサに送信することを含む方法。
【請求項２９】
複数の電源により電力を前記複数のセンサ及び無線トランシーバに送ることを更に含み、各電源は、それぞれのセンサ及び無線トランシーバに接続されると共に、その近くに埋め込まれている、請求項２８に記載の方法。
【請求項３０】
前記データ信号を送信することは、無線トランシーバからコードを送信してその信号を他の無線トランシーバの信号から識別することを更に含む、請求項２８に記載の方法。
【請求項３１】
前記データ信号を送信することは、各無線トランシーバについて異なる周波数で前記データ信号を送信することから構成される、請求項２８に記載の方法。
【請求項３２】
前記データ信号を送信することは、各無線トランシーバから前記プロセッサに順次前記データ信号を送信することから構成される、請求項２８に記載の方法。
【請求項３３】
各センサとそれぞれの無線トランシーバ及び電源とは単一コンポーネントを構成している、請求項２９に記載の方法。
【請求項３４】
前記複数のセンサは、前記ロールの長さに沿って共通の円周方向位置に全て配置されている、請求項２８に記載の方法。
【請求項３５】
前記複数のセンサは、共通の軸方向位置に全て配置されている、請求項２８に記載の方法。
【請求項３６】
前記複数のセンサは、前記ロール上の分散した円周方向及び軸方向位置に全て配置されている、請求項２８に記載の方法。
【請求項３７】
前記複数のセンサは、前記ロール上の分散した円周方向及び軸方向位置に全て配置されている、請求項２８に記載の方法。
【請求項３８】
各センサにより検知された前記データパラメータは、温度、圧力、ピーク圧力、歪み、ニップ幅及び水分のうちの１つに関係している、請求項２８に記載の方法。
【請求項３９】
各電源は、バッテリー、充電式バッテリー及びコンデンサのうちの１つから構成される請求項２９に記載の方法。
【請求項４０】
無線充電システムを使用して各電源を再充電することを更に含む、請求項３９に記載の方法。
【請求項４１】
再充電することは、前記ロールが作動していないときに各電源を再充電することから構成される、請求項４０に記載の方法。
【請求項４２】
再充電することは、
ロールの長さにわたる複数の無線充電器を有する固定部材を用意すること、及び
誘導結合を使用してロール作動中に前記無線充電器で前記電源を再充電すること、
を含む、請求項４０に記載の方法。
【請求項４３】
前記固定部材はドクターブレード組立体である、請求項４２に記載の方法。
【請求項４４】
前記固定部材は、弓状の断面を有すると共に、前記ロールの周囲の一部を包むように構成されている、請求項４２に記載の方法。
【請求項４５】
再充電することは、
それぞれ少なくとも１つの電源に接続されると共に、その近くで前記カバーに埋め込まれる複数の圧電装置を用意すること、
エネルギを発生するため前記複数の圧電装置を圧縮すること、及び
各圧電装置が圧縮されたときに発生されるエネルギで各電源を再充電すること、
から構成される、請求項４０に記載の方法。
【請求項４６】
再充電することは、
無線充電器で前記ロールのスプリアス振動及び／又は回転からエネルギを発生すること、及び
前記無線充電器により発生されたエネルギで前記電源を再充電すること、
から構成される、請求項４０に記載の方法。
【請求項４７】
各電源を再充電することは、熱源、温度差、振動及び／又はＲＦ信号からエネルギを取り入れることから構成される、請求項４０に記載の方法。
【請求項４８】
前記センサからの前記データ信号を前記プロセッサに送信することは、赤外線（ＩＲ）通信を使用して前記データ信号を送信することから構成される、請求項２８に記載の方法。
【請求項４９】
前記複数の無線トランシーバはトランスミッタである、請求項２８に記載の方法。
【請求項５０】
前記複数の無線トランシーバは網状又は星形網状の接続形態になって構成されている、請求項２８に記載の方法。
【請求項５１】
それぞれセンサ及び無線トランシーバの間に接続されたピーク検出器を使用して、前記センサの前記データ信号からピークデータパラメータを検出することを更に含み、前記送信することは、それぞれの無線トランシーバで前記ピークデータパラメータを前記プロセッサに送信することから構成される、請求項２８に記載の方法。
【請求項５２】
リセット指令、特定回転数、及び／又はリモートプロセッサ読取り動作に応答して前記ピーク検出器をリセットすることを更に含む、請求項５１に記載の方法。
【請求項５３】
前記ピークデータパラメータはピークニップ圧である、請求項５１に記載の方法。